(57)【要約】【課題】アクチュエータが正しく閉まっているか否かを検査で容易に判定できるコネクタを提供すること。【解決手段】コネクタは、ケーブルに面する表面である第１主面、及び第１主面とは反対側の表面である背面を備えるインシュレータと、ケーブルと基板とを電気的に接続するコンタクトと、基板に平行な回転軸を中心に回転できるアクチュエータと、を備える。アクチュエータは、回転軸に対して交差する板状の側壁を備える。側壁は、前記アクチュエータが前記ケーブルに近付く方向に回転させられた時に前記第１主面に面する表面である第２主面を備える基部と、基部から突出する認識部と、を備える。第２主面に対して直交する方向における、回転軸から認識部の先端までの距離は、回転軸から背面までの距離よりも大きい。【選択図】図７
2019149253.tif 000002
【特許請求の範囲】
【請求項１】
ケーブルに面する表面である第１主面、及び前記第１主面とは反対側の表面である背面を備えるインシュレータと、
前記ケーブルと基板とを電気的に接続するコンタクトと、
前記基板に平行な回転軸を中心に回転できるアクチュエータと、
を備え、
前記アクチュエータは、前記回転軸に対して交差する板状の側壁を備え、
前記側壁は、前記アクチュエータが前記ケーブルに近付く方向に回転させられた時に前記第１主面に面する表面である第２主面を備える基部と、前記基部から突出する認識部と、を備え、
前記第２主面に対して直交する方向における、前記回転軸から前記認識部の先端までの距離は、前記回転軸から前記背面までの距離よりも大きい
コネクタ。
【請求項２】
前記回転軸に対して直交し且つ前記第２主面と平行な方向における、前記回転軸から前記認識部の先端までの距離は、前記回転軸に対して直交し且つ前記背面と平行な方向における、前記回転軸から前記インシュレータの上面までの距離とは異なる
請求項１に記載のコネクタ。
【請求項３】
前記回転軸に対して直交し且つ前記第２主面と平行な方向における、前記回転軸から前記認識部の先端までの距離は、前記回転軸に対して直交し且つ前記背面と平行な方向における、前記回転軸から前記インシュレータの上面までの距離よりも大きい
請求項１に記載のコネクタ。
【請求項４】
前記認識部は、前記第２主面に対して直交する方向において前記回転軸から最も遠い表面である第１端面と、前記第１端面の端部に位置する第１稜線と、を備える
請求項１から３のいずれか１項に記載のコネクタ。
【請求項５】
前記認識部は、前記インシュレータとは反対側の表面であって平面状である上面を備える
請求項１から４のいずれか１項に記載のコネクタ。
【請求項６】
前記インシュレータは、前記背面から最も遠い表面である前面を備え、
前記基部は、前記回転軸に対して前記第２主面とは反対側に位置する表面である第２端面を備え、
前記第２主面に対して直交する方向における、前記回転軸から前記第２端面までの距離は、前記回転軸から前記前面までの距離よりも大きい
請求項１から５のいずれか１項に記載のコネクタ。
【請求項７】
前記基部は、前記第２端面の端部に位置する第２稜線を備える
請求項６に記載のコネクタ。
【請求項８】
前記基部は、前記第２端面に繋がる曲面を備え、
前記回転軸と平行な方向から見て、前記曲面は、前記回転軸を中心とした円弧を描く
請求項６又は７に記載のコネクタ。
【発明の詳細な説明】
【技術分野】
【０００１】
本発明は、コネクタに関する。
【背景技術】
【０００２】
フレキシブル回路基板（Flexible  Printed  Circuit：ＦＰＣ）又はフレキシブルフラットケーブル（Flexible  Flat  Cable：ＦＦＣ）等（以下、ケーブルという）を基板に接続するためにコネクタが用いられる。特許文献１にはコネクタの一例が記載されている。特許文献１のコネクタにおいては、ハウジングに対して回転できるカバー部材がケーブルの耳部を覆うことによって、ケーブルがハウジングから抜け出ることが防止される。
【先行技術文献】
【特許文献】
【０００３】
【特許文献１】特開２０１４−２６７６５号公報
【発明の概要】
【発明が解決しようとする課題】
【０００４】
しかし、カバー部材と耳部との干渉等によってカバー部材が正しく閉まらないことがある。正しく閉まっていないカバー部材は、製品検査等で検出する必要がある。このため、カバー部材が正しく閉まっているか否かを検査で容易に判定できるコネクタが求められている。
【課題を解決するための手段】
【０００５】
１つの態様のコネクタは、ケーブルに面する表面である第１主面、及び前記第１主面とは反対側の表面である背面を備えるインシュレータと、前記ケーブルと基板とを電気的に接続するコンタクトと、前記基板に平行な回転軸を中心に回転できるアクチュエータと、を備え、前記アクチュエータは、前記回転軸に対して交差する板状の側壁を備え、前記側壁は、前記アクチュエータが前記ケーブルに近付く方向に回転させられた時に前記第１主面に面する表面である第２主面を備える基部と、前記基部から突出する認識部と、を備え、前記第２主面に対して直交する方向における、前記回転軸から前記認識部の先端までの距離は、前記回転軸から前記背面までの距離よりも大きい。
【０００６】
前記回転軸に対して直交し且つ前記第２主面と平行な方向における、前記回転軸から前記認識部の先端までの距離は、前記回転軸に対して直交し且つ前記背面と平行な方向における、前記回転軸から前記インシュレータの上面までの距離とは異なってもよい。
【０００７】
前記回転軸に対して直交し且つ前記第２主面と平行な方向における、前記回転軸から前記認識部の先端までの距離は、前記回転軸に対して直交し且つ前記背面と平行な方向における、前記回転軸から前記インシュレータの上面までの距離よりも大きくてもよい。
【０００８】
前記認識部は、前記第２主面に対して直交する方向において前記回転軸から最も遠い表面である第１端面と、前記第１端面の端部に位置する第１稜線と、を備えてもよい。
【０００９】
前記認識部は、前記インシュレータとは反対側の表面であって平面状である上面を備えてもよい。
【００１０】
前記インシュレータは、前記背面から最も遠い表面である前面を備え、前記基部は、前記回転軸に対して前記第２主面とは反対側に位置する表面である第２端面を備え、前記第２主面に対して直交する方向における、前記回転軸から前記第２端面までの距離は、前記回転軸から前記前面までの距離よりも大きくてもよい。
【００１１】
前記基部は、前記第２端面の端部に位置する第２稜線を備えてもよい。
【００１２】
前記基部は、前記第２端面に繋がる曲面を備え、前記回転軸と平行な方向から見て、前記曲面は、前記回転軸を中心とした円弧を描いてもよい。
【発明の効果】
【００１３】
コネクタにおいては、アクチュエータが正しく閉まっていれば、平面視で認識部がインシュレータから突出する。一方、アクチュエータが正しく閉まっていなければ、平面視で認識部がインシュレータから突出しないか、認識部の突出量が小さくなる。したがって、コネクタによれば、アクチュエータが正しく閉まっているか否かを検査で容易に判定できる。
【図面の簡単な説明】
【００１４】
【図１】図１は、実施形態のコネクタ及びケーブルの斜視図である。
【図２】図２は、実施形態のコネクタの斜視図である。
【図３】図３は、実施形態のコネクタ及びケーブルの斜視図である。
【図４】図４は、実施形態のコネクタの斜視図である。
【図５】図５は、実施形態のコネクタ及びケーブルの左側面図である。
【図６】図６は、実施形態のコネクタ及びケーブルの平面図である。
【図７】図７は、図６のＡ−Ａ断面図である。
【図８】図８は、アクチュエータが正しく閉じられている状態の側壁の平面図である。
【図９】図９は、アクチュエータが正しく閉じられていない状態の側壁の平面図である。
【図１０】図１０は、図９のＢ−Ｂ断面図である。
【図１１】図１１は、変形例のコネクタの斜視図である。
【図１２】図１２は、変形例のコネクタの断面図である。
【発明を実施するための形態】
【００１５】
以下、本開示のコネクタの実施形態を図面に基づいて説明する。なお、この実施形態により発明が限定されるものではない。また、下記実施形態における構成要素には、当業者が置換可能かつ容易なもの、あるいは実質的に同一のものが含まれる。
【００１６】
（実施形態）
図１は、実施形態のコネクタ及びケーブルの斜視図である。図２は、実施形態のコネクタの斜視図である。図３は、実施形態のコネクタ及びケーブルの斜視図である。図４は、実施形態のコネクタの斜視図である。
【００１７】
図１に示すように、実施形態のコネクタ１は、ケーブル８と基板９とを接続するための装置である。コネクタ１は、基板９に固定される。ケーブル８は、フレキシブル回路基板（Flexible  Printed  Circuit：ＦＰＣ）又はフレキシブルフラットケーブル（Flexible  Flat  Cable：ＦＦＣ）等である。ケーブル８は、可撓性を有する薄い板状のケーブルである。基板９は、プリント基板であり、複数の電子部品を備える。
【００１８】
以下の説明において、ＸＹＺ直交座標系が用いられる。Ｚ軸は、基板９に対して直交する。Ｘ軸は、コネクタ１の長手方向に平行である。Ｙ軸は、Ｘ軸及びＺ軸の両方に対して直交する。Ｘ軸に沿う方向はＸ方向と記載され、Ｙ軸に沿う方向はＹ方向と記載され、Ｚ軸に沿う方向はＺ方向と記載される。Ｚ方向のうち、基板９からコネクタ１に向かう方向を＋Ｚ方向とする。Ｙ方向のうち、ケーブル８から後述するインシュレータ２に向かう方向を＋Ｙ方向とする。＋Ｚ方向を上として＋Ｙ方向を見た場合の右方向を＋Ｘ方向とする。
【００１９】
図２に示すように、複数のコンタクト４と、インシュレータ２と、アクチュエータ３と、を備える。複数のコンタクト４は、インシュレータ２に保持される。複数のコンタクト４は、Ｘ方向に所定の間隔を空けて並べられる。コンタクト４は、基板９に固定される。コンタクト４は、ケーブル８を把持する。コンタクト４は、基板９とケーブル８とを電気的に接続する。
【００２０】
図５は、実施形態のコネクタ及びケーブルの左側面図である。図６は、実施形態のコネクタ及びケーブルの平面図である。図７は、図６のＡ−Ａ断面図である。
【００２１】
図４に示すように、インシュレータ２は、２つの端壁２１と、後壁２３と、を備える。端壁２１は、Ｘ軸に対して直交する板状である。後壁２３は、Ｙ軸に対して直交する板状である。２つの端壁２１は、後壁２３によって接続されている。
【００２２】
図７に示すように、後壁２３は、上面２３ａと、第１主面２３ｃと、背面２３ｂと、前面２３ｆと、を備える。上面２３ａは、Ｚ軸に対して直交し且つ＋Ｚ方向を向く表面である。第１主面２３ｃは、Ｙ軸に対して直交し且つ−Ｙ方向を向く表面である。第１主面２３ｃは、ケーブル８に面する表面である。背面２３ｂは、Ｙ軸に対して直交し且つ＋Ｙ方向を向く表面である。背面２３ｂは、第１主面２３ｃとは反対側の表面である。前面２３ｆは、Ｙ軸に対して直交し且つ−Ｙ方向を向く表面である。前面２３ｆは、背面２３ｂから最も遠い表面である。また、図４及び図７に示すように、後壁２３は、２つの凹部２３５を備える。凹部２３５は、上面２３ａに設けられた溝である。
【００２３】
アクチュエータ３は、インシュレータ２に取り付けられる。アクチュエータ３は、インシュレータ２に対して回転できる。アクチュエータ３は、図５に示す回転軸Ｒを中心に回転する。回転軸Ｒは、Ｘ軸と平行である。すなわち、回転軸Ｒは、基板９と平行である。
【００２４】
図２に示すように、アクチュエータ３は、２つの側壁３１と、第１プレート３３と、第２プレート３４と、を備える。側壁３１は、Ｘ軸に対して直交する板状である。第１プレート３３は、側壁３１に対して直交する板状である。第２プレート３４は、側壁３１及び第１プレート３３に対して直交する板状である。２つの側壁３１は、第１プレート３３及び第２プレート３４によって接続されている。第１プレート３３及び第２プレート３４によって、アクチュエータ３の強度が向上する。
【００２５】
Ｚ方向から見て、２つの側壁３１は、コンタクト４からずれた位置に配置されている。すなわち、２つの側壁３１は、平面視でコンタクト４に重ならない。＋Ｘ方向側の側壁３１は、複数のコンタクト４のうち＋Ｘ方向側の端部に位置するコンタクト４に対して、＋Ｘ方向に位置する。−Ｘ方向側の側壁３１は、複数のコンタクト４のうち−Ｘ方向側の端部に位置するコンタクト４に対して、−Ｘ方向に位置する。
【００２６】
図５及び図７に示すように、側壁３１は、基部３１１と、シャフト３１９と、認識部３１３と、凸部３１５と、を備える。図７に示すように、基部３１１は、上面３１１ａと、第２主面３１１ｃと、第２端面３１１ｂと、曲面３１１ｄと、第２稜線３１１ｅと、を備える。第２主面３１１ｃは、アクチュエータ３がケーブル８に近付く方向に回転させられた時に第１主面２３ｃに面する表面である。第２端面３１１ｂは、第２主面３１１ｃとは反対側に位置する表面である。第２端面３１１ｂは、第２主面３１１ｃと平行である。曲面３１１ｄは、第２端面３１１ｂ及び上面３１１ａを繋ぐ。Ｘ方向から見て、曲面３１１ｄは、回転軸Ｒを中心とした円弧を描く。第２稜線３１１ｅは、曲面３１１ｄと第２端面３１１ｂとが交差する位置に形成される。すなわち、第２稜線３１１ｅは、曲面３１１ｄの端部及び第２端面３１１ｂの端部に位置する。
【００２７】
以下の説明において、第２主面３１１ｃが第１主面２３ｃに平行である状態は、第１状態と記載される。第２主面３１１ｃが第１主面２３ｃに対して直交する状態は、第２状態と記載される。図１、図２及び図５から図７は、第１状態を示す。第１状態は、アクチュエータ３が閉じた状態ともいえる。図３及び図４は、第２状態を示す。第２状態は、アクチュエータ３が開いた状態ともいえる。第２状態では、ケーブル８をインシュレータ２とアクチュエータ３との間に挿入することが可能である。ケーブル８がインシュレータ２とアクチュエータ３との間に挿入された後、アクチュエータ３がケーブル８に近付く方向へ回転させられる。アクチュエータ３が所定の位置まで回転すると、インシュレータ２に設けられたロック機構によってアクチュエータ３が位置決めされる。
【００２８】
図７に示すように、第１状態で、基部３１１の上面３１１ａは、Ｚ軸に対して直交し且つ＋Ｚ方向を向く。第１状態で、基部３１１の第２主面３１１ｃは、Ｙ軸に対して直交し且つ＋Ｙ方向を向く。第１状態で、第２主面３１１ｃは、ケーブル８の耳部８１に面する。第１状態で、基部３１１の第２端面３１１ｂは、Ｙ軸に対して直交し且つ−Ｙ方向を向く。第１状態で、第２稜線３１１ｅは、側壁３１のうち−Ｙ方向の端部に位置する。
【００２９】
図７に示すように、距離Ｌ５は、距離Ｌ６よりも大きい。距離Ｌ５は、第２主面３１１ｃに対して直交する方向（図７に示す第１状態でＹ方向）における、回転軸Ｒから第２端面３１１ｂまでの距離である。距離Ｌ６は、回転軸Ｒから前面２３ｆまでの距離である。
【００３０】
図６に示すように、シャフト３１９は、基部３１１からＸ方向に突出する。シャフト３１９は、インシュレータ２の端壁２１に取り付けられる。アクチュエータ３は、シャフト３１９を中心に回転する。回転軸Ｒは、シャフト３１９をＸ軸に対して直交する平面で切った断面の中心を通る直線である。
【００３１】
図７に示すように、認識部３１３は、基部３１１から、第２主面３１１ｃに対して直交する方向に突出する。図７に示すように、第１状態で、認識部３１３は、基部３１１から＋Ｙ方向に突出する。第１状態で、認識部３１３は、インシュレータ２の第１主面２３ｃに対して＋Ｙ方向に位置し、凹部２３５に嵌まる。第１状態で、認識部３１３は、インシュレータ２の背面２３ｂから＋Ｙ方向に突出する。
【００３２】
図７に示すように、認識部３１３は、上面３１３ａと、第１端面３１３ｂと、第１稜線３１３ｅと、を備える。上面３１３ａは、インシュレータ２の後壁２３とは反対側の表面であって、平面状である。上面３１３ａは、基部３１１の上面３１１ａと繋がっている。第１端面３１３ｂは、第２主面３１１ｃに対して直交する方向で回転軸Ｒから最も遠い表面である。上面３１３ａと第１端面３１３ｂとがなす角度は、９０°である。第１稜線３１３ｅは、上面３１３ａと第１端面３１３ｂとが交差する位置に形成される。すなわち、第１稜線３１３ｅは、上面３１３ａの端部及び第１端面３１３ｂの端部に位置する。第２端面３１１ｂから第１端面３１３ｂまでの距離（第１状態での側壁３１のＹ方向の長さ）は、インシュレータ２の端壁２１のＹ方向の長さよりも大きい。第２端面３１１ｂから第１端面３１３ｂまでの距離は、できるだけ大きい方が望ましい。
【００３３】
図７に示すように、第１状態で、上面３１３ａは、Ｚ軸に対して直交し且つ＋Ｚ方向を向く。第１状態で、第１端面３１３ｂは、Ｙ軸に対して直交し且つ＋Ｙ方向を向く。第１状態で、第１稜線３１３ｅは、側壁３１のうち＋Ｙ方向の端部に位置する。
【００３４】
図７に示すように、距離Ｌ１は、距離Ｌ２よりも大きい。距離Ｌ１は、第２主面３１１ｃに対して直交する方向（図７に示す第１状態でＹ方向）における、回転軸Ｒから認識部３１３の先端（第１端面３１３ｂ）までの距離である。距離Ｌ２は、回転軸Ｒから背面２３ｂまでの距離である。
【００３５】
図７に示すように、認識部３１３の上面３１３ａは、インシュレータ２の上面２３ａに対してＺ方向にずれている。図７に示すように、距離Ｌ３は、距離Ｌ４よりも大きい。距離Ｌ３は、回転軸Ｒに対して直交し且つ第２主面３１１ｃと平行な方向（図７に示す第１状態でＺ方向）における回転軸Ｒから認識部３１３の先端（上面３１３ａ）までの距離である。距離Ｌ４は、回転軸Ｒに対して直交し且つ背面２３ｂと平行な方向（図７に示す第１状態でＺ方向）における、回転軸Ｒから後壁２３の上面２３ａまでの距離である。
【００３６】
図７に示すように、凸部３１５は、基部３１１から、第２主面３１１ｃに対して直交する方向に突出する。第１状態で、凸部３１５は、インシュレータ２の第１主面２３ｃに対して−Ｙ方向に位置し、且つ凹部２３５に対して−Ｚ方向に位置する。第１状態で、凸部３１５は、第１主面２３ｃに隙間を空けて対向する。第１状態で、凸部３１５は、ケーブル８の耳部８１の＋Ｚ方向側を覆う。これにより、ケーブル８が抜け止めされる。
【００３７】
図２に示すように、第１プレート３３は、一方の側壁３１から他方の側壁３１に亘る部材である。第１プレート３３は、第２主面３１１ｃに対して直交する板状である。第１状態で、第１プレート３３は、Ｚ軸に対して直交する板状である。図６に示すように、第１プレート３３は、は、切欠き３３１を備える。切欠き３３１は、第１状態においてＺ方向でコンタクト４の少なくとも１つに重なる。これにより、Ｚ方向からコンタクト４の実装状態を確認することが可能となる。
【００３８】
第２プレート３４は、一方の側壁３１から他方の側壁３１に亘る部材である。第２プレート３４は、第１プレート３３に対して直交する板状である。第１状態で、第２プレート３４は、Ｙ軸に対して直交する板状である。第１プレート３３及び第２プレート３４によってアクチュエータ３の強度が向上する。
【００３９】
図８は、アクチュエータが正しく閉じられている状態の側壁の平面図である。図９は、アクチュエータが正しく閉じられていない状態の側壁の平面図である。図１０は、図９のＢ−Ｂ断面図である。図１及び図５から図８は、アクチュエータ３が正しく閉じられている状態を示す。アクチュエータ３が正しく閉じられている状態とは、図７に示すように、側壁３１の凸部３１５がケーブル８の耳部８１よりも＋Ｚ方向に位置する状態である。アクチュエータ３が正しく閉じられていない状態とは、図１０に示すように、凸部３１５が耳部８１の−Ｙ方向に乗り上げた状態である。
【００４０】
ケーブル８が正しい位置に配置された場合、図７に示すように、側壁３１の凸部３１５がケーブル８の耳部８１よりも＋Ｚ方向に位置する。この場合、第２主面３１１ｃが第１主面２３ｃと平行になる。このため、図８に示すように、認識部３１３が、インシュレータ２の背面２３ｂよりも＋Ｙ方向に突出する。
【００４１】
一方、ケーブル８が正しい位置に配置されなかった場合、側壁３１の凸部３１５がケーブル８の耳部８１と干渉する。すなわち、凸部３１５が耳部８１の−Ｙ方向に乗り上げる。この場合、第２主面３１１ｃが第１主面２３ｃと平行にならない。このため、例えば図９に示すように、認識部３１３が、インシュレータ２の背面２３ｂから突出しない。又は、認識部３１３が背面２３ｂよりも＋Ｙ方向に突出したとしても、図８の場合と比較して突出量が小さくなる。
【００４２】
ケーブル８が接続されたコネクタ１に対して、ケーブル８が正しく接続されているか否かを判定する製品検査が行われる。コネクタ１は、検査装置によって自動的に検査される。検査装置は、例えば自動光学検査装置（Automated  Optical  Inspection：ＡＯＩ）である。検査装置は、＋Ｚ方向側からコネクタ１をカメラでスキャンする。
【００４３】
検査装置は、認識部３１３の位置に基づいて、ケーブル８が正しく接続されているか否かを判定する。例えば、検査装置は、図８及び図９に示すように所定の基準線Ｓ１に対する認識部３１３の第１稜線３１３ｅの位置を検出する。基準線Ｓ１は、例えばインシュレータ２の背面２３ｂに重なる直線である。図８に示すように第１稜線３１３ｅが基準線Ｓ１よりも＋Ｙ方向側に位置する場合に、検査装置は、ケーブル８が正しく接続されていると判定する。図９に示すように第１稜線３１３ｅが基準線Ｓ１よりも−Ｙ方向側に位置する場合に、検査装置は、ケーブル８が正しく接続されていないと判定する。
【００４４】
なお、基準線Ｓ１は、必ずしも背面２３ｂに重なる直線でなくてもよい。基準線Ｓ１の位置は、特に限定されない。また、検査装置は、基準線Ｓ１に対する認識部３１３の突出量を検出してもよい。検査装置は、図８及び図９に示すような任意の領域Ａ１において認識部３１３が占める面積に基づいて、ケーブル８が正しく接続されているか否かを判定してもよい。
【００４５】
検査装置は、基部３１１の位置に基づいて、ケーブル８が正しく接続されているか否かを判定する。例えば、検査装置は、図８及び図９に示すように所定の基準線Ｓ２に対する基部３１１の第２稜線３１１ｅの位置を検出する。図８に示すように第２稜線３１１ｅが基準線Ｓ１よりも＋Ｙ方向側に位置する場合に、検査装置は、ケーブル８が正しく接続されていると判定する。図９に示すように第２稜線３１１ｅが基準線Ｓ２よりも−Ｙ方向側に位置する場合に、検査装置は、ケーブル８が正しく接続されていないと判定する。
【００４６】
なお、基準線Ｓ２の位置は、特に限定されない。また、検査装置は、基準線Ｓ２に対する基部３１１の突出量を検出してもよい。検査装置は、図８及び図９に示すような任意の領域Ａ２において基部３１１が占める面積に基づいて、ケーブル８が正しく接続されているか否かを判定してもよい。
【００４７】
インシュレータ２は、必ずしも凹部２３５を備えていなくてもよい。ただし、認識部３１３が所定の位置からＸ方向にずれにくくなる点で、インシュレータ２が凹部２３５を備える方が望ましい。認識部３１３が凹部２３５によって位置決めされることによって、検査装置の判定精度が向上する。
【００４８】
アクチュエータ３の基部３１１において、第２端面３１１ｂは、第２主面３１１ｃと平行でなくてもよい。第２端面３１１ｂが上面３１１ａに対してなす角度が９０°以下であればよい。認識部３１３において、上面３１３ａと第１端面３１３ｂとがなす角度は、９０°でなくてもよく、９０°以下であればよい。
【００４９】
２つの側壁３１は、平面視でコンタクト４と重なっていてもよい。ただし、コンタクト４の実装状態を確認しやすくなる点で、２つの側壁３１が平面視でコンタクト４と重なっていない方が望ましい。
【００５０】
コネクタ１は、アクチュエータ３をインシュレータ２から遠ざかる方向に押す弾性部材を備えていてもよい。弾性部材は、例えば金属で形成されたバネである。
【００５１】
以上で説明したように、コネクタ１は、インシュレータ２と、コンタクト４と、アクチュエータ３と、を備える。インシュレータ２は、ケーブル８に面する表面である第１主面２３ｃ、及び第１主面２３ｃとは反対側の表面である背面２３ｂを備える。コンタクト４は、ケーブル８と基板９とを電気的に接続する。アクチュエータ３は、基板９と平行な回転軸Ｒを中心に回転できる。アクチュエータ３は、回転軸Ｒに対して交差する板状の側壁３１を備える。側壁３１は、アクチュエータ３がケーブル８に近付く方向に回転させられた時に第１主面２３ｃに面する表面である第２主面３１１ｃを備える基部３１１と、基部３１１から突出する認識部３１３と、を備える。第２主面３１１ｃに対して直交する方向における、回転軸Ｒから認識部３１３の先端（第１端面３１３ｂ）までの距離Ｌ１は、回転軸Ｒから背面２３ｂまでの距離Ｌ２よりも大きい。
【００５２】
これにより、アクチュエータ３が正しく閉まっていれば、平面視で認識部３１３がインシュレータ２から突出する。一方、アクチュエータ３が正しく閉まっていなければ、平面視で認識部３１３がインシュレータ２から突出しないか、認識部３１３の突出量が小さくなる。したがって、コネクタ１によれば、アクチュエータ３が正しく閉まっているか否かを検査で容易に判定できる。
【００５３】
コネクタ１において、回転軸Ｒに対して直交し且つ第２主面３１１ｃと平行な方向における、回転軸Ｒから認識部３１３の先端（上面３１３ａ）までの距離Ｌ３は、回転軸Ｒに対して直交し且つ背面２３ｂと平行な方向における、回転軸Ｒからインシュレータ２の上面２３ａまでの距離Ｌ４とは異なる。これにより、検査装置のカメラのピントを認識部３１３に合わせ且つインシュレータ２の上面２３ａからずらすことが可能となる。このため、検査装置がインシュレータ２の上面２３ａを認識部３１３と誤認識することが抑制される。
【００５４】
コネクタ１において、回転軸Ｒに対して直交し且つ第２主面３１１ｃと平行な方向における、回転軸Ｒから認識部３１３の先端（上面３１３ａ）までの距離Ｌ３は、回転軸Ｒに対して直交し且つ背面２３ｂと平行な方向における、回転軸Ｒからインシュレータ２の上面２３ａまでの距離Ｌ４よりも大きい。これにより、回転軸Ｒから認識部３１３までの距離が大きくなる。このため、アクチュエータ３が正しく閉まっていない場合の認識部３１３の位置ずれが大きくなりやすい。したがって、コネクタ１によれば、アクチュエータ３が正しく閉まっているか否かの検査がより容易になる。
【００５５】
コネクタ１において、認識部３１３は、第２主面３１１ｃに対して直交する方向において回転軸Ｒから最も遠い表面である第１端面３１３ｂと、第１端面３１３ｂの端部に位置する第１稜線３１３ｅと、を備える。これにより、平面視において認識部３１３の先端の位置が明確になる。このため、コネクタ１によれば、アクチュエータ３が正しく閉まっているか否かの検査がより容易になる。
【００５６】
コネクタ１において、認識部３１３は、インシュレータ２とは反対側の表面であって平面状である上面３１３ａを備える。これにより、検査装置から照射される光の認識部３１３での反射が一様になりやすい。このため、コネクタ１によれば、アクチュエータ３が正しく閉まっているか否かの検査がより容易になる。
【００５７】
コネクタ１において、インシュレータ２は、背面２３ｂから最も遠い表面である前面２３ｆを備える。基部３１１は、回転軸Ｒに対して第２主面３１１ｃとは反対側に位置する表面である第２端面３１１ｂを備える。第２主面３１１ｃに対して直交する方向における、回転軸Ｒから第２端面３１１ｂまでの距離Ｌ５は、回転軸Ｒから前面２３ｆまでの距離Ｌ６よりも大きい。
【００５８】
言い換えると、以下の通りである。コネクタ１は、インシュレータ２と、コンタクト４と、アクチュエータ３と、を備える。インシュレータ２は、ケーブル８に面する表面である第１主面２３ｃ、第１主面２３ｃとは反対側の表面である背面２３ｂ、及び背面２３ｂから最も遠い表面である前面２３ｆを備える。コンタクト４は、ケーブル８と基板９とを電気的に接続する。アクチュエータ３は、基板９と平行な回転軸Ｒを中心に回転できる。アクチュエータ３は、回転軸Ｒに対して交差する板状の側壁３１を備える。側壁３１は、アクチュエータ３がケーブル８に近付く方向に回転させられた時に第１主面２３ｃに面する表面である第２主面３１１ｃと、回転軸Ｒに対して第２主面３１１ｃとは反対側に位置する表面である第２端面３１１ｂと、を備える。第２主面３１１ｃに対して直交する方向における、回転軸Ｒから第２端面３１１ｂまでの距離Ｌ５は、回転軸Ｒから前面２３ｆまでの距離Ｌ６よりも大きい。
【００５９】
これにより、アクチュエータ３が正しく閉まっていれば、平面視で基部３１１がインシュレータ２から突出する。一方、アクチュエータ３が正しく閉まっていなければ、平面視で基部３１１がインシュレータ２から突出しないか、認識部３１３の突出量が小さくなる。したがって、コネクタ１によれば、アクチュエータ３が正しく閉まっているか否かを検査で容易に判定できる。
【００６０】
コネクタ１において、基部３１１は、第２端面３１１ｂの端部に位置する第２稜線３１１ｅを備える。これにより、平面視において基部３１１の先端の位置が明確になる。このため、コネクタ１によれば、アクチュエータ３が正しく閉まっているか否かの検査がより容易になる。
【００６１】
コネクタ１において、基部３１１は、第２端面３１１ｂに繋がる曲面３１１ｄを備える。回転軸Ｒと平行な方向から見て、曲面３１１ｄは、回転軸Ｒを中心とした円弧を描く。これにより、アクチュエータ３の回転角度に関わらず、検査装置から照射される光の曲面３１１ｄでの反射が一定となる。したがって、コネクタ１によれば、アクチュエータ３が正しく閉まっているか否かの検査がより容易になる。また、検査装置のカメラのピント位置は、一定であることが望ましい。例えばカメラが曲面３１１ｄの一部を撮影する場合、曲面３１１ｄが回転軸Ｒを中心とした円弧であることによって、アクチュエータ３がある程度傾いていてもカメラから撮影対象部分までの位置が一定となる。このため、カメラのピント位置が一定であっても、撮影した画像が鮮明になりやすい。したがって、アクチュエータ３が正しく閉まっているか否かの検査精度が向上する。
【００６２】
本開示の実施形態は、発明の要旨及び範囲を逸脱しない範囲で変更することができる。さらに、本開示の実施形態及びその変形例は、適宜組み合わせることができる。例えば、上記の実施形態は、以下のように変形してもよい。
【００６３】
図１１は、変形例のコネクタの斜視図である。図１２は、変形例のコネクタの断面図である。なお、上述した実施形態で説明したものと同じ構成要素には同一の符号を付して重複する説明は省略する。
【００６４】
図１１及び図１２に示すように、変形例のコネクタ１Ａのアクチュエータ３Ａは、上述した側壁３１とは異なる形状を有する側壁３１Ａを備える。図１２に示すように、側壁３１Ａの基部３１１Ａは、曲面３１１ｄＡを備える。曲面３１１ｄＡは、第２端面３１１ｂ及び上面３１１ａを繋ぐ。基部３１１Ａは、曲面３１１ｄＡの端部に上述した第２稜線３１１ｅを備えない。すなわち、曲面３１１ｄＡと第２端面３１１ｂとが滑らかに繋がっている。このように、基部３１１Ａは、第２稜線３１１ｅを備えなくてもよい。このような場合であっても、アクチュエータ３が正しく閉まっているか否かの検査に基部３１１Ａを用いることは可能である。
【符号の説明】
【００６５】
１、１Ａ  コネクタ
２  インシュレータ
２１  端壁
２３  後壁
２３５  凹部
２３ａ  上面
２３ｂ  背面
２３ｃ  第１主面
２３ｆ  前面
３、３Ａ  アクチュエータ
３１、３１Ａ  側壁
３１１  基部
３１１ａ  上面
３１１ｂ  第２端面
３１１ｃ  第２主面
３１１ｄ  曲面
３１１ｅ  第２稜線
３１３  認識部
３１３ａ  上面
３１３ｂ  第１端面
３１３ｅ  第１稜線
３１５  凸部
３１９  シャフト
３３  第１プレート
３４  第２プレート
４  コンタクト
８  ケーブル
８１  耳部
９  基板
【図１】
2019149253.tif 000003
【図２】
2019149253.tif 000004
【図３】
2019149253.tif 000005
【図４】
2019149253.tif 000006
【図５】
2019149253.tif 000007
【図６】
2019149253.tif 000008
【図７】
2019149253.tif 000009
【図８】
2019149253.tif 000010
【図９】
2019149253.tif 000011
【図１０】
2019149253.tif 000012
【図１１】
2019149253.tif 000013
【図１２】
2019149253.tif 000014